(57)【要約】【課題】スイッチキーにおいて、漏光を有効に利用することが可能なプロジェクタを提供することである。【解決手段】プロジェクタ１は、光源から射出された光束を画像情報に応じて変調して光学像を形成し、光学像を投写する光学装置と、押圧されることにより所定の信号を出力するタクトスイッチ３２が実装されたスイッチ回路基板３０と、透光性を有してタクトスイッチ３２に相対して配設され、タクトスイッチ３２を押圧するためのスイッチキー２１と、スイッチキー２１が外部に露出するためのスイッチ用孔１２３を有し、スイッチキー２１、スイッチ回路基板３０、および光学装置を内部に収容するアッパー筐体１２と、を備え、スイッチキー２１は、光学装置の漏光を導光し、アッパー筐体１２外部に、導光した漏光を放射する。【選択図】図２
2009133947.tif 000002
【特許請求の範囲】
【請求項１】
光源から射出された光束を画像情報に応じて変調して光学像を形成し、当該光学像を投写する光学装置と、
押圧されることにより所定の信号を出力するスイッチ素子が実装された回路基板と、
透光性を有し、前記スイッチ素子に相対して配設され、前記スイッチ素子を押圧するためのスイッチキーと、
前記スイッチキーが外部に露出するための孔を有し、前記スイッチキー、前記回路基板、および前記光学装置を内部に収容する外装筐体と、を備え、
前記スイッチキーは、前記光学装置の漏光を導光し、前記外装筐体外部に、導光した前記漏光を放射することを特徴とするプロジェクタ。
【請求項２】
請求項１に記載のプロジェクタであって、
前記スイッチキーは、光を拡散する光拡散材が混入された部材で形成されていることを特徴とするプロジェクタ。
【請求項３】
請求項１に記載のプロジェクタであって、
前記スイッチキーは、光を拡散するシボ面が外面側に形成されていることを特徴とするプロジェクタ。
【請求項４】
請求項１に記載のプロジェクタであって、
前記スイッチキーは、透光性を有する塗装処理が外面側に行なわれていることを特徴とするプロジェクタ。
【請求項５】
請求項１〜請求項４のいずれか一項に記載のプロジェクタであって、
前記スイッチキーは、前記外装筐体の前記孔から露出する所定の領域に遮光処理が行なわれていることを特徴とするプロジェクタ。
【請求項６】
請求項１〜請求項５のいずれか一項に記載のプロジェクタであって、
前記光学装置は、前記光源から射出された光束を画像情報に応じて変調して光学像を形成する光変調装置を有し、
前記スイッチキーは、前記光変調装置に相対する前記外装筐体の領域に配設されていることを特徴とするプロジェクタ。
【発明の詳細な説明】
【技術分野】
【０００１】
本発明は、プロジェクタに関する。
【背景技術】
【０００２】
従来、プロジェクタは、プロジェクタの動作の指示を行なうスイッチキーを外装筐体に備えている。また、プロジェクタは、プロジェクタ内部に収容する、光学像を形成するための光学装置からの漏光により、スイッチキーと外装筐体との隙間から光漏れが発生するため、スイッチ素子などを実装する回路基板の面上に遮光性のシートを貼着するなどの漏光対策を行なっている。
【０００３】
特許文献１には、操作パネルとして、自己発光素子とスイッチ（スイッチ素子）とが実装される回路基板と、スイッチを押圧するキートップ本体（スイッチキー）、およびキートップ本体を支持するベース部材を有するキートップと、自己発光素子の発光を導光して外部に射出するインジケータ部と、キートップ本体とインジケータ部を外部に露出する孔を有するカバー部材と、を備え、キートップとインジケータ部は、透光性を有する合成樹脂により一体成型することが開示されている。
なお、特許文献１においても、漏光対策として、キートップ本体とベース部材とに、遮光性を有する塗料で塗装が施されている。
【０００４】
【特許文献１】特開２００６−２４４８６４号公報
【発明の開示】
【発明が解決しようとする課題】
【０００５】
上述したように、プロジェクタにおいては、光学装置からの漏光に対する漏光対策が必要となり、スイッチキーにおいても、漏光に対する遮光処理などの漏光対策が必要であった。また、漏光は必ず発生するため、スイッチキーにおいて、逆に漏光を有効に利用することなどが課題となっていた。
【課題を解決するための手段】
【０００６】
本発明は、上述した課題の少なくとも一部を解決するためになされたものであり、以下の形態または適用例として実現することが可能である。
【０００７】
（適用例１）本適用例に係るプロジェクタは、光源から射出された光束を画像情報に応じて変調して光学像を形成し、光学像を投写する光学装置と、押圧されることにより所定の信号を出力するスイッチ素子が実装された回路基板と、透光性を有し、スイッチ素子に相対して配設され、スイッチ素子を押圧するためのスイッチキーと、スイッチキーが外部に露出するための孔を有し、スイッチキー、回路基板、および光学装置を内部に収容する外装筐体と、を備え、スイッチキーは、光学装置の漏光を導光し、外装筐体外部に、導光した漏光を放射することを特徴とする。
【０００８】
このようなプロジェクタによると、スイッチ素子を押圧するためのスイッチキーは、透光性を有しているため、光学装置からの漏光はスイッチキーの内部を導光する。そして、スイッチキーを外部に露出する外装筐体の孔から、導光させた漏光を外部に放射する。これにより、スイッチキーを照光させるための源として、光学装置からの漏光を有効に利用することができるプロジェクタを実現できる。
【０００９】
（適用例２）上記のプロジェクタであって、スイッチキーは、光を拡散する光拡散材が混入された部材で形成されていることが好ましい。
【００１０】
このようなプロジェクタによると、スイッチキーが光を拡散する光拡散材を混入した部材で形成されることにより、光学装置の漏光がスイッチキー内部を導光する際に、漏光が光拡散材により拡散されることにより、略均一な明るさの漏光に変換される。これにより、スイッチキーは、漏光により略均一な明るさで照光し、漏光を外部に放射させることができる。従って漏光の見栄えを向上させることができる。
【００１１】
（適用例３）上記のプロジェクタであって、スイッチキーは、光を拡散するシボ面が外面側に形成されていることが好ましい。
【００１２】
このようなプロジェクタによると、スイッチキーは、光を拡散するシボ面が外面側に形成されていることにより、光学装置の漏光がスイッチキー内部を導光し、スイッチキーの外部に放射される際に、漏光がシボ面により拡散されることにより、略均一な明るさの漏光に変換される。または、漏光がスイッチキーの内部に導光する際に、シボ面により拡散されて略均一な明るさの漏光に変換され、スイッチキー内部を導光して外部に放射される。これにより、スイッチキーは、漏光により略均一な明るさで照光し、漏光をスイッチキーの外部に放射させることができる。従って漏光の見栄えを向上させることができる。
【００１３】
（適用例４）上記のプロジェクタであって、スイッチキーは、透光性を有する塗装処理が外面側に行なわれていることが好ましい。
【００１４】
このようなプロジェクタによると、スイッチキーは、外面側に透光性を有する塗装処理が行なわれていることにより、光学装置の漏光がスイッチキー内部を導光し、スイッチキーの外部に放射される際に、漏光が塗装処理により拡散されることにより、略均一な明るさの漏光に変換される。または、漏光がスイッチキーの内部に導光する際に、塗装処理により拡散されて略均一な明るさの漏光に変換され、スイッチキー内部を導光して外部に放射される。これにより、スイッチキーは、漏光により略均一な明るさで照光し、漏光をスイッチキーの外部に放射させることができる。従って漏光の見栄えを向上させることができる。
【００１５】
（適用例５）上記のプロジェクタであって、スイッチキーは、外装筐体の孔から露出する所定の領域に遮光処理が行なわれていることが好ましい。
【００１６】
このようなプロジェクタによると、スイッチキーが、外装筐体の孔から露出する所定の領域に遮光処理が行なわれていることにより、遮光処理が行なわれている所定の領域は光らせず、遮光処理が行なわれていない所定の領域以外の領域を光らせることができる。従って、漏光を利用したスイッチキーの光らせ方（照光のさせ方）のバリエーションを増やすことができ、プロジェクタのデザインの自由度を向上させる。
【００１７】
（適用例６）上記のプロジェクタであって、光学装置は、光源から射出された光束を画像情報に応じて変調して光学像を形成する光変調装置を有し、スイッチキーは、光変調装置に相対する外装筐体の領域に配設されていることが好ましい。
【００１８】
このようなプロジェクタによると、光学装置は光変調装置を有し、スイッチキーが、光変調装置に相対する外装筐体の領域に配設されていることにより、光学装置の中で漏光の量が多い光変調装置からの漏光を利用することができ、スイッチキーから外部に放射させる漏光も明るくすることができる。従って、漏光の見栄えを更に向上させることができ、漏光を更に有効に利用することができる。
【発明を実施するための最良の形態】
【００１９】
以下、実施形態を図面に基づいて説明する。
図１は、実施形態に係るプロジェクタの概略斜視図である。図１を参照して、プロジェクタ１の外観上の構成を説明する。
【００２０】
プロジェクタ１は、光源から射出された光束を画像情報に応じて変調して光学像を形成し、その光学像を画像（例えば、カラー画像）としてスクリーン（図示省略）などに投写するものである。このプロジェクタ１は、図１に示すように、略直方体形状の外装筐体１０で覆われている。また、外装筐体１０は、プロジェクタ１の底面１ｂを構成するロアー筐体１１と、底面１ｂ以外の５面（上面１ａ、前面１ｃ、背面１ｄ、右面１ｅ、左面１ｆ）を覆うアッパー筐体１２とで構成されている。
【００２１】
なお、画像を投写するための投写光学装置（投写レンズ６６）は、外装筐体１０内部に収容されている。そして、プロジェクタ１の上面１ａのアッパー筐体１２には投写レンズ６６の投写倍率調整や焦点調整を行なう際にユーザが指先を挿入するための調整用開口部１２１が形成されている。また、プロジェクタ１の前面１ｃのアッパー筐体１２には、プロジェクタ１が画像を投写する際に画像光が通過する投写用開口部１２２が形成されている。
【００２２】
なお、アッパー筐体１２の内面側には、アッパー筐体１２の調整用開口部１２１と、投写用開口部１２２との周辺に介在してスライド自在に構成される開閉蓋１５が設置されている。この開閉蓋１５は、プロジェクタ１を使用しない場合などには、開閉蓋１５に突設された把持部１５１を把持して開閉蓋１５をスライドさせることにより、調整用開口部１２１と投写用開口部１２２とを覆う（閉塞する）ことができる（図１に示す状態）。また逆に、プロジェクタ１を使用する場合などには、把持部１５１を把持して開閉蓋１５をスライドさせることにより、調整用開口部１２１と投写用開口部１２２とを開放することができる。
【００２３】
また、プロジェクタ１の上面１ａのアッパー筐体１２の略中央部分には、左右方向に延びるように設けられ、各種サイズで複数のスイッチ用孔１２３が形成されており、このスイッチ用孔１２３を介して、アッパー筐体１２の内面側に設置される後述するスイッチキー２１の操作部２１１が挿通されて露出している。また、プロジェクタ１の上面１ａのアッパー筐体１２には、複数のインジケータ用孔１２４が形成されており、このインジケータ用孔１２４を介して、アッパー筐体１２の内面側に設置される後述するインジケータ部２２が挿通されて露出している。
【００２４】
なお、スイッチキー２１は、プロジェクタ１の動作の指示を行なう場合に、後述するスイッチ素子を押圧するためのものである。このスイッチキー２１をユーザが押圧することにより、スイッチ素子を動作させ、所望の動作をプロジェクタ１に行なわせることができる。また、インジケータ部２２は、プロジェクタ１の動作状態をユーザに認識させるために、動作状態に応じて所定の光を外部に放射するものである。動作状態としては、例えば、プロジェクタ１の電源ケーブル（図示省略）をコンセント（図示省略）に差し込んだ後に、光源を駆動させていない（主電源スイッチ（図示省略）を入力していない）状態であるスタンバイ状態や、光源を駆動させてプロジェクタ１を使用している状態である通常動作状態や、プロジェクタ１の内部が異常に高温となった状態である内部温度異常状態などがある。
【００２５】
また、プロジェクタ１は、プロジェクタ１の上面１ａで、左面１ｆと背面１ｄとのコーナ部には、後述する光源（光源装置）を交換する際に開閉する光源装置用蓋１４が設置されている。なお、光源装置用蓋１４は、光源装置用蓋１４に相対してアッパー筐体１２に形成された光源装置用開口部（図示省略）を覆う形態で設置されている。また、プロジェクタ１の右端部には、アッパー筐体１２の外面で、プロジェクタ１の上面１ａ、前面１ｃ、背面１ｄにかけて設置されるプロジェクタ１の持ち運び用のハンドル１６が設置されている。プロジェクタ１を持ち運ぶ際には、このハンドル１６を図１に示す状態から右面１ｅ側に略直角に回転させ、ハンドル１６を把持することになる。
【００２６】
また、プロジェクタ１の右面１ｅには、アッパー筐体１２において、外気を外装筐体１０内部に導入するための吸気口（図示省略）が形成され、その吸気口を覆う形態で吸気用枠１７が設置されている。この吸気用枠１７および吸気口を介して導入された空気は、後述する冷却ファンにより、発熱する光学装置などを冷却している。
【００２７】
また、プロジェクタ１の左面１ｆには、外装筐体１０内部の光学装置などが発熱して温まった空気をプロジェクタ１の外部に排気する排気口（図示省略）などが形成されている。また、プロジェクタ１の背面１ｄには、外部の装置と信号の授受を行なうインターフェース部（図示省略）などが設置されている。また、プロジェクタ１の底面１ｂには、プロジェクタ１の投写角度を調整する脚（図示省略）などが設置されている。
【００２８】
図２は、プロジェクタの分解斜視図である。詳細には、図２は、プロジェクタ１からアッパー筐体１２と、アッパー筐体１２に支持固定される、光源装置用蓋１４とハンドル１６と、を一体に取り外している。また、後述するスイッチ部材２０とスイッチ回路基板３０を取り外している。図３は、スイッチ部材の構造を示す断面図である。図２、図３を参照して、プロジェクタ１の内部（外装筐体１０の内部）の概略構成と、スイッチ部材２０およびスイッチ回路基板３０の構成および動作を説明する。
【００２９】
図２に示すように、プロジェクタ１の内部には、光学装置をユニット化した光学ユニット６０や、プロジェクタ１内部の発熱する各構成部材を冷却する冷却ファン４０や、プロジェクタ１内部の各構成部材に電力を供給する電源ユニット５０や、光源としての光源装置６１に所定の電力を供給するバラストユニット５５などが配設されている。
【００３０】
また、画像情報に応じて光束を変調させるための信号を光変調装置６５に出力する制御や、プロジェクタ１内部の各構成部材を制御する制御回路基板７０が、光学ユニット６０の上方に配設されている。また、この制御回路基板７０の上方には、回路基板としてのスイッチ回路基板３０と、スイッチキー２１が形成されているスイッチ部材２０とが配設されている。
【００３１】
光学ユニット６０は、上述したように、光学装置をユニット化したものであり、制御回路基板７０による制御に基づき、光源から射出された光束を光学的に処理して画像情報に対応した画像光を形成し、スクリーンなどに投写する。この光学ユニット６０は、光源としての光源装置６１や、画像情報に応じて変調して光学像を形成する光変調装置６５や、光学像を画像光として投写する投写光学装置としての投写レンズ６６などで構成されている。また、光学ユニット６０は、このような光学装置６１，６５，６６などを光学装置用筐体（図示省略）の内部に収容することでユニット化されている。なお、本実施形態の光源装置６１には、放電式ランプを用いている。また、本実施形態の光変調装置６５には、透過型の液晶パネル（図示省略）を用いている。
【００３２】
なお、光学装置用筐体は、具体的な図示は省略するが、光学装置６１，６５，６６などの組み込み用の開口部や、調整用の開口部や、冷却用の開口部や、制御回路基板７０との接続用の開口部などが形成されている。そのため、光学装置用筐体に光学装置６１，６５，６６などを収容した場合、各光学装置６１，６５，６６などを完全に覆う形態とはならない。このように構成される光学ユニット６０において、光源装置６１を駆動した場合、光源装置６１から射出される光束により、上記開口部などから光学装置用筐体の外部に光が漏れることになり、漏光が発生する。
【００３３】
冷却ファン４０は、２つの吸気用ファン４１，４２と、排気用ファン４３とで構成されている。そして、吸気用ファン４１，４２の駆動により、プロジェクタ１外部の空気を吸気用枠１７、吸気口、および塵埃を除去するフィルタ１７１を介してプロジェクタ１内部に導入する。そして、発熱する光変調装置６５などに対して空気を流通させ、その結果、プロジェクタ１内部の温まった空気を排気用ファン４３により、プロジェクタ１外部に排気口を介して排気することにより、光変調装置６５などの構成部材を冷却する。また、排気用ファン４３は、光源装置６１の近傍に設置されており、発熱する光源装置６１や制御回路基板７０なども冷却している。
【００３４】
制御回路基板７０は、ガラスエポキシ樹脂製の基板７１の両面に、制御用の各種ＩＣ（図示省略）を実装して形成されている。また、制御回路基板７０には、後述するスイッチ回路基板３０と、信号の授受を行なうための接続ケーブル（図示省略）が接続されている。また、制御回路基板７０には、光変調装置６５の液晶パネルに接続しているフレキシブルケーブル６５１を制御回路基板７０の基板７１上面に導くための接続用開口部７１１が形成され、フレキシブルケーブル６５１を制御回路基板７０の基板７１上面で接続している。そして、画像情報に応じて変調させるための信号をこのフレキシブルケーブル６５１を介して液晶パネルに出力している。なお、基板７１の材質は、ガラスエポキシ樹脂製でなくてもよい。
【００３５】
スイッチ回路基板３０は、ガラスエポキシ樹脂製の基板３１の上面に、複数のスイッチ素子としての複数のタクトスイッチ３２と、複数のＬＥＤ（Light Emitting Diode）モジュール３３とを実装して形成されている。複数のタクトスイッチ３２は、リード端子３２１を基板３１に半田付けすることで実装されている。また、タクトスイッチ３２は、その上面部から突出し、押し下げることにより、回路を導通させるボタン部３２２が設けられている。このボタン部３２２を押圧して押し下げる（スイッチを「ＯＮ」させる）ことにより、押下されたタクトスイッチ３２に応じた所定の信号を、制御回路基板７０に出力する。そして、制御回路基板７０により所定のタクトスイッチ３２の押下に応じた制御が実施される。なお、基板３１の材質は、ガラスエポキシ樹脂製でなくてもよい。
【００３６】
複数のＬＥＤモジュール３３は、制御回路基板７０の制御に基づき、プロジェクタ１の動作状態（例えば、スタンバイ状態、通常動作状態、内部温度異常状態など）に応じて、スイッチ回路基板３０を介して所定の駆動電圧が印加されることで所定の点灯を行ない、光を放射する。
【００３７】
スイッチ部材２０は、ユーザにより操作される部材である。このスイッチ部材２０は、スイッチ回路基板３０の上方に配置され、複数のスイッチキー２１と、複数のインジケータ部２２と、ベース部材２３とを備える。複数のスイッチキー２１は、複数のタクトスイッチ３２に相対した位置に配設され、ユーザによる操作により押し下げられて各タクトスイッチ３２のボタン部３２２を押圧するものである。
【００３８】
スイッチキー２１は、本実施形態では、図２または図３に示すように、略円柱形状を有し、ユーザにより操作される操作部２１１と、操作部２１１の押し下げ方向（タクトスイッチ３２に向かう方向）の先端部分の外周からスイッチ回路基板３０の基板３１に沿って延出し、押し下げ方向基端側に向かって立ち上がる断面略Ｌ字形状の外縁部２１２とで構成される。なお、初期状態では、図３に示すように、スイッチキー２１とタクトスイッチ３２との間には所定の隙間が形成されている。
【００３９】
ベース部材２３は、スイッチ回路基板３０の外形形状と略同一の外形形状で、平面視矩形形状の枠部２３１を有し、枠部２３１の内側部分に複数のスイッチキー２１と複数のインジケータ部２２を支持している。このベース部材２３には、図２または図３に示すように、枠部２３１の内面側から内部に向かって延びる支持部２３２が形成され、支持部２３２の先端部分がスイッチキー２１の外縁部２１２に接続する。なお、支持部２３２は、各スイッチキー２１に対して形成されている。そして、操作部２１１がユーザにより操作されると、支持部２３２が枠部２３１に対して屈曲して、スイッチキー２１が押し下げられる。また、このベース部材２３には、図２に示すように、枠部２３１の内面側から内部に向かって延出する板状の固定部２３３が形成され、固定部２３３の上面部分に複数のインジケータ部２２が立設して形成されている。
【００４０】
複数のインジケータ部２２は、略円柱形状を有し、複数のＬＥＤモジュール３３に相対した位置に配設され、各ＬＥＤモジュール３３から放射された光を導光してプロジェクタ１外部に放射し、ユーザにプロジェクタ１の動作状態を知らせる部分である。
【００４１】
このように、本実施形態のスイッチ部材２０は、複数のスイッチキー２１、複数のインジケータ部２２、およびベース部材２３で構成され、また、透光性を有する合成樹脂を射出成形などの方法により一体成形して構成されている。なお、透光性を有する合成樹脂として、本実施形態では、透明なＡＢＳ（Acrylonitrile Butadiene Styrene）樹脂を用いている。合成樹脂としては、ＡＢＳ樹脂の他、ＰＣ（Poly Carbonate）樹脂などを用いることができる。
【００４２】
アッパー筐体１２は、図２に示すように、スイッチ部材２０の上方に配置され、スイッチキー２１を平面的に覆っている。このアッパー筐体１２は、図１でも示したように、複数のスイッチキー２１の各操作部２１１に相対して平面視略円形状を有し、各操作部２１１を外部に露出させるための複数のスイッチ用孔１２３と、複数のインジケータ部２２を外部に露出させるための複数のインジケータ用孔１２４とを有する。
【００４３】
なお、スイッチ部材２０とスイッチ回路基板３０は、アッパー筐体１２にネジ止めされて固定される。詳細には、アッパー筐体１２のスイッチ用孔１２３とインジケータ用孔１２４に、それぞれ対応するスイッチ部材２０のスイッチキー２１およびインジケータ部２２をアッパー筐体１２の内面側から挿入する。その後、スイッチ回路基板３０をスイッチ部材２０に載置し、ネジ（図示省略）により、スイッチ回路基板３０およびスイッチ部材２０をアッパー筐体１２に固定している。
【００４４】
そして、プロジェクタ１を組み立てた状態では、図１に示すように、アッパー筐体１２の各スイッチ用孔１２３から各スイッチキー２１の操作部２１１の天面２１１ａが露出し、ユーザが各操作部２１１を操作することが可能となる。また、アッパー筐体１２の各インジケータ用孔１２４から各インジケータ部２２の天面が露出し、ユーザにプロジェクタ１の動作状態を知らせることが可能となる。
【００４５】
また、図３に示すように、アッパー筐体１２のスイッチ用孔１２３から露出する複数のスイッチキー２１の操作部２１１の上面（天面２１１ａ）において、所定領域としての中心側領域には、遮光性を有する塗装処理が行なわれて塗装膜８１が形成されている。そして、この塗装膜８１も含め、スイッチ部材２０を構成する複数のスイッチキー２１とベース部材２３の外面側となる上面には、透光性を有する塗装処理が行なわれて塗装膜８０が形成されている。これにより、スイッチキー２１の操作部２１１の天面２１１ａに塗装した塗装膜８１の上面にも塗装膜８０が形成される。なお、複数のインジケータ部２２には、塗装処理は行なわない。
【００４６】
ここで、本実施形態での光学ユニット６０から発生する漏光の動作と、スイッチキー２１での漏光に対する動作に関して説明する。
【００４７】
上述したように、光学ユニット６０の光学装置用筐体から漏れた光（漏光）は、図２に示す、光学ユニット６０の上方に配設される制御回路基板７０と、制御回路基板７０の上方に配設されるスイッチ回路基板３０とを、程度の差はあるものの透過する。この透過した漏光は、スイッチ回路基板３０の上方に配設されるスイッチ部材２０の底面側に達することになる。
【００４８】
また、光学ユニット６０において、漏光する量の多い部分は、光変調装置６５に対応する光学装置用筐体の部分である。上述のように、光学ユニット６０の光変調装置６５が配置されている部分には冷却用の開口部（図示せず）が設けられ、制御回路基板７０には接続用開口部７１１が設けられている。光変調装置６５からの漏光は、冷却用の開口部および接続用開口部７１１を通過してスイッチ回路基板３０の底面に直接達する。本実施形態では、漏光を積極的に利用するために、スイッチ回路基板３０およびスイッチ部材２０の配設位置を、光学ユニット６０の上方、特に、光変調装置６５の上方に相対する領域に配設している。言い換えると、スイッチキー２１は、光変調装置６５に相対するアッパー筐体１２の領域に配設されている。
【００４９】
そして、図３に、白抜き矢印で示すように、制御回路基板７０とスイッチ回路基板３０を透過してきた漏光や、スイッチ回路基板３０の底面に直接達する漏光によりスイッチ回路基板３０を透過する漏光は、スイッチ部材２０を構成するスイッチキー２１やベース部材２３の底面側や側面側から、スイッチキー２１やベース部材２３の内部に導光される。そして、スイッチキー２１の操作部２１１や外縁部２１２の内部を導光した漏光は、操作部２１１の天面２１１ａの遮光性の塗装膜８１の領域は透過せず、それ以外の透光性の塗装膜８０の領域を透過し、スイッチキー２１の外部に放射される。
【００５０】
なお、透光性の塗装膜８０を透過する際、導光した漏光は、塗装膜８０を構成するさまざまな粒子に当って拡散されて透過することになる。従って、操作部２１１の天面２１１ａの塗装膜８１以外の領域となる操作部２１１の天面２１１ａ部や側面部、および外縁部２１２の上面部などからは、拡散された漏光が透過し外部に放射する。また、漏光が拡散されることにより、透過した漏光は、略均一な明るさとなる。そして、その拡散されてスイッチキー２１から放射された漏光は、操作部２１１の天面２１１ａの外周部と、アッパー筐体１２のスイッチ用孔１２３とスイッチキー２１との隙間からプロジェクタ１の外部（図３に、実線矢印で示す）に放射される。従って、ユーザがプロジェクタ１の上方からアッパー筐体１２を見た場合、ユーザは、スイッチキー２１の操作部２１１の外周領域が、略均一な明るさで光っている（照光している）ことを視認することができる。
【００５１】
上述した実施形態によれば以下の効果が得られる。
（１）本実施形態のプロジェクタ１よると、タクトスイッチ３２を押圧するためのスイッチキー２１は、透光性を有しているため、光学ユニット６０からの漏光はスイッチキー２１の内部を導光する。そして、スイッチキー２１を外部に露出するアッパー筐体１２のスイッチ用孔１２３から、導光させた漏光を外部に放射する。これにより、スイッチキー２１を照光させるための源として、光学ユニット６０からの漏光を有効に利用することができるプロジェクタ１を実現している。
【００５２】
（２）本実施形態のプロジェクタ１よると、スイッチキー２１の操作部２１１の上面（天面２１１ａ）において、所定領域としての中心側領域には、遮光性を有する塗装膜８１を形成している。また、この塗装膜８１も含め、スイッチ部材２０を構成する複数のスイッチキー２１の外面側となる上面には、透光性を有する塗装膜８０を形成している。これにより、光学ユニット６０の漏光がスイッチキー２１内部を導光し、スイッチキー２１の外部に放射する際に、操作部２１１の天面２１１ａにおける中心側領域以外の領域で、漏光が透光性の塗装膜８０により拡散されることにより、略均一な明るさの漏光に変換され、スイッチキー２１の外部に放射させることができる。また、遮光性を有する塗装膜８１の領域（操作部２１１の天面２１１ａにおける中心側領域）は、漏光を透過させなくすることができる。従って、透光性を有する塗装膜８０により、漏光の見栄えを向上させることができると共に、漏光を利用したスイッチキー２１の照光のさせ方のバリエーションを増やすことができ、プロジェクタ１のデザインの自由度を向上させる。
【００５３】
（３）本実施形態のプロジェクタ１よると、スイッチキー２１が、光変調装置６５に相対するアッパー筐体１２の領域に配設されていることにより、光学装置を構成する中で漏光の量が多い光変調装置６５からの漏光を利用することができ、スイッチキー２１から外部に放射させる漏光も明るくすることができる。従って、漏光の見栄えを更に向上させることができ、漏光を更に有効に利用することができる。
【００５４】
なお、上述した実施形態に限定されず、種々の変更や改良などを加えて実施することが可能である。変形例を以下に述べる。
【００５５】
（変形例１）前記実施形態では、スイッチ用孔１２３は、外装筐体１０を構成するアッパー筐体１２に形成しているが、これに限らず、スイッチ用孔１２３を形成する部材をアッパー筐体１２と別体として外装筐体１０を構成してもよい。スイッチ用孔１２３を形成する部材が、結果として、プロジェクタ１の外装を構成する外装筐体１０としての働きをするのであれば別体に構成してもよい。
【００５６】
（変形例２）前記実施形態では、スイッチキー２１は、スイッチ部材２０として、インジケータ部２２などと一体に形成されている。しかし、これに限らず、スイッチキー２１が単体として形成されていてもよい。
【００５７】
（変形例３）前記実施形態では、遮光性を有する塗装膜８１の上面に透光性を有する塗装膜８０を形成しているが、透光性を有する塗装膜８０の上面に遮光性を有する塗装膜８１を形成してもよい。
【００５８】
（変形例４）前記実施形態では、操作部２１１の天面２１１ａにおける中心側領域に遮光性の塗装膜８１を形成し、それ以外の操作部２１１や外縁部２１２に透光性の塗装膜８０を形成している。しかし、これに限らず、天面２１１ａにおける中心側領域に透光性の塗装膜８０を形成し、それ以外の操作部２１１や外縁部２１２に遮光性の塗装膜８１を形成してもよく、天面２１１ａにおける中心側領域のみを漏光により光らせる（照光させる）ことができる。また、遮光性の塗装膜８１を形成せず、透光性の塗装膜８０のみを形成することでもよく、天面２１１ａ全体を照光させることもできる。このように、照光のさせ方のバリエーションを増やすことができる。
【００５９】
（変形例５）前記実施形態では、スイッチキー２１の外面側としての上面に塗装処理を行なっているが、これに限らず、外面側としての底面や側面にも塗装処理を行なうことができる。しかし、漏光の量や、漏光が外装筐体１０外部に放射する場合の見栄えなどを考慮して、遮光性を有する塗装処理や透光性を有する塗装処理を行なう領域を適宜決めることがよい。
【００６０】
（変形例６）前記実施形態では、アッパー筐体１２のスイッチ用孔１２３から露出するスイッチキー２１の操作部２１１の所定領域（本実施形態では中心側領域）に遮光処理として、遮光性の塗装処理を行なっている。しかし、これに限らず、遮光処理として、遮光性のシール部材などを所定領域に取り付けることなどでもよい。
【００６１】
（変形例７）前記実施形態では、透光性を有するスイッチキー２１に、透光性の塗装膜８０を形成して漏光を拡散させている。しかし、これに限らず、光を拡散する光拡散材料を、透光性を有する合成樹脂材料に混入して、スイッチキー２１を成形することで、スイッチキー２１内部を導光する漏光を拡散させてもよく、同様の効果を奏することができる。
【００６２】
（変形例８）前記実施形態では、透光性を有するスイッチキー２１に、透光性の塗装膜８０を形成して漏光を拡散させている。しかし、これに限らず、スイッチキー２１の外面側に、シボ面を形成して、漏光を拡散させることでもよい。なお、シボ面の形成方法として、例えば、スイッチキー２１を成形する金型の面に、エッチング（化学的腐食）などの方法を用いてシボ加工を行なうことで、シボ面を形成させることができる。このようなシボ面を、スイッチキー２１の上面側に形成した場合には、漏光がスイッチキー２１内部を導光し、スイッチキー２１の外部に放射される際に、漏光がシボ面により拡散されることにより、略均一な明るさの漏光に変換され、スイッチキー２１は、漏光により略均一な明るさで照光し、漏光をスイッチキー２１の外部に放射させることができる。また、シボ面を、スイッチキー２１の底面側に形成した場合には、漏光がスイッチキー２１の内部に導光する際に、シボ面により拡散されて略均一な明るさの漏光に変換され、スイッチキー２１内部を導光することで、スイッチキー２１は、漏光により略均一な明るさで照光し、漏光をスイッチキー２１の外部に放射させることができる。いずれにしても、シボ面を形成することにより、漏光の見栄えを向上させることができる。
【００６３】
（変形例９）前記実施形態では、スイッチキー２１は、透明な合成樹脂材料により成形されているが、乳白色系などの若干透明性が劣る透光性を有する合成樹脂材料により成形してもよい。
【００６４】
（変形例１０）前記実施形態では、光変調装置６５は、透過型の液晶パネルを用いている。しかし、これに限らず、反射型の液晶パネルなど、反射型の光変調装置を用いることも可能である。また、一般に、入射光を画像情報に応じて変調するものであればよく、マイクロミラー型光変調素子などを用いても良い。なお、マイクロミラー型光変調素子としては、例えば、ＤＭＤ（Digital Micromirror Device）を用いることができる。
【００６５】
（変形例１１）前記実施形態では、光源装置６１に放電式ランプを用いているが、これに限らず、ＬＥＤ（Light Emitting Diode）、ＬＤ（Laser Diode）などを用いることができる。
【図面の簡単な説明】
【００６６】
【図１】実施形態に係るプロジェクタの概略斜視図。
【図２】プロジェクタの分解斜視図。
【図３】スイッチ部材の構造を示す断面図。
【符号の説明】
【００６７】
１…プロジェクタ、１０…外装筐体、１２…アッパー筐体、２０…スイッチ部材、２１…スイッチキー、３０…スイッチ回路基板、３２…タクトスイッチ、６０…光学ユニット、６１…光源装置、６５…光変調装置、６６…投写レンズ、８０…塗装膜、１２３…スイッチ用孔、２１１…操作部、２１２…外縁部。
【図１】
2009133947.tif 000003
【図２】
2009133947.tif 000004
【図３】
2009133947.tif 000005